(57)【要約】  【課題】  表示部の下側に取着された音声出力部を持上げ荷重に対して保護することができ、しかも、部品点数を低減できるようにする。  【解決手段】  画像を表示する表示部１の下側に、表示部１とほぼ等しい長さの略直方体をなす音声出力部２を配置し、該音声出力部２の長手方向両端部を表示部１に取着する取着体３，３に、該取着体３，３より表示部１の後方に延出され、下面に指が掛けられる凹所４ａを有する把手部４，４を一体に設け、持上げ荷重を取着体３，３から表示部１に伝えるようにした。【選択図】      図３
2006340336.tif 000002
【特許請求の範囲】
【請求項１】
表示部の下側に配置された音声出力部を取着体により前記表示部に取着してなる表示装置において、前記取着体は、下面に指が掛けられる把手部を備えることを特徴とする表示装置。
【請求項２】
前記音声出力部は前記表示部とほぼ等しい長さの略直方体をなし、該音声出力部の長手方向両端部を前記取着体により取着してある請求項１記載の表示装置。
【請求項３】
前記表示部は前側に表示面を有しており、前記取着体は前記表示部及び音声出力部の後部に固定される第１及び第２の固定部を有しており、前記把手部は前記固定部より前記表示部の後方に延出され、且つ下面に指が掛けられる凹所を有する請求項１又は２記載の表示装置。
【請求項４】
前記音声出力部は複数の音声出力孔を有する筺体を備え、前記取着体は該筺体と一体成形されている請求項１又は２記載の表示装置。
【請求項５】
前記表示部は画像を表示するパネル及び該パネルを収容した筺体を備え、前記取着体は該筺体と一体成形されている請求項１又は２記載の表示装置。
【発明の詳細な説明】
【技術分野】
【０００１】
本発明は液晶表示装置、プラズマ表示装置等の表示装置に関する。
【背景技術】
【０００２】
テレビ等の表示装置は、画像を表示するパネル及び該パネルを収容した筺体を有する表示部と、該表示部の筺体内に収容された音声出力部を備えている（例えば特許文献１参照）。また、表示装置は前記筺体の側部に設けられた把手部に指を引掛けて持運ぶことができるように構成されている（例えば特許文献２参照）。
【０００３】
また、液晶テレビには、表示部の下側に略直方体をなす音声出力部を配置し、該音声出力部の長手方向両端部を取着体により前記表示部の筺体に取着されたものが知られている。
【特許文献１】特開２００１−３０９２７７号公報
【特許文献２】特開平６−２６８９４７号公報
【発明の開示】
【発明が解決しようとする課題】
【０００４】
ところが、特許文献１のように表示部の筺体内に音声出力部が収容された表示装置にあっては、音声出力部の大きさが制限され、また、表示部の筺体が大形になると言う問題がある。
また、特許文献２のように表示部の側部に持運び専用の把手部が設けられた表示装置にあっては部品点数が増加し、コスト高になると言う問題があった。
【０００５】
また、表示部の下側に音声出力部が取着された表示装置にあっては、該表示装置が比較的大形の場合、表示部下側の音声出力部に指が掛けられ、この状態で表示装置が持上げられることがある。このとき、複数の音声出力孔が設けられて比較的剛性が小さくなっている音声出力部に持上げ荷重が加わるため、音声出力部が塑性変形したりすることになり、改善策が要望されていた。
【０００６】
本発明は斯かる事情に鑑みてなされたものであり、主たる目的は下面に指が掛けられる把手部を、表示部の下側に配置された音声出力部を表示部に取着する取着体に設けることにより、持上げ荷重に対して音声出力部を保護することができるとともに、部品点数を低減できる表示装置を提供することにある。
【０００７】
また、他の目的は音声出力部を表示部とほぼ等しい長さの略直方体とし、該音声出力部の長手方向両端部を取着体で取着することにより、比較的大形の表示装置であっても極力少ない人員数で簡易に持運ぶことが可能な表示装置を提供することにある。
【０００８】
また、他の目的は把手部を、表示部及び音声出力部の後部に固定される固定部より表示部の後方に延出され、下面に凹所を有する構成とすることにより、表示部の下側の音声出力部の前部に手を触れることなく、表示装置の下部より該表示装置を持上げることができる表示装置を提供することにある。
【０００９】
さらに、他の目的は取着体を音声出力部の筺体と一体成形することにより、部品点数をより一層低減できる表示装置を提供することにある。
【００１０】
また、他の目的は取着体を表示部の筺体と一体成形することにより、部品点数をより一層低減できる表示装置を提供することにある。
【課題を解決するための手段】
【００１１】
本発明に係る表示装置は、表示部の下側に配置された音声出力部を取着体により前記表示部に取着してなる表示装置において、前記取着体は、下面に指が掛けられる把手部を備えることを特徴とする。
【００１２】
この発明にあっては、表示装置の持上げ荷重を、音声出力部を表示部に取着する取着体から表示部に伝達することができるため、音声出力部に持上げ荷重を加えることなく持運ぶことが可能であり、持上げ荷重に対して音声出力部を保護することができ、しかも、音声出力部を取着するための取着体に把手部を設けてあるため、部品点数を低減でき、コストを低減できる。
【００１３】
また、本発明に係る表示装置は、前記音声出力部は前記表示部とほぼ等しい長さの略直方体をなし、該音声出力部の長手方向両端部を前記取着体により取着してあることを特徴とする。
【００１４】
この発明にあっては、表示部の下側に取着された音声出力部の長手方向両端部で表示装置を持上げることができるため、比較的大形の表示装置であっても極力少ない人員数で簡易に持運ぶことが可能であり、持運び性を向上できる。
【００１５】
また、本発明に係る表示装置は、前記表示部は前側に表示面を有しており、前記取着体は前記表示部及び音声出力部の後部に固定される第１及び第２の固定部を有しており、前記把手部は前記固定部より前記表示部の後方に延出され、且つ下面に指が掛けられる凹所を有することを特徴とする。
【００１６】
この発明にあっては、表示部の下側の音声出力部の前部に手を触れることなく、表示装置の下部より該表示装置を持上げることができるため、比較的大形の表示装置であっても音声出力部の前部を凹ましたりすることなく簡易に持運ぶことが可能である。
【００１７】
また、本発明に係る表示装置は、前記音声出力部は複数の音声出力孔を有する筺体を備え、前記取着体は該筺体と一体成形されていることを特徴とする。
【００１８】
この発明にあっては、把手部を有する取着体と音声出力部の筺体とが一体成形されているため、部品点数をより一層低減でき、コストをより一層低減できる。
【００１９】
また、本発明に係る表示装置は、前記表示部は画像を表示するパネル及び該パネルを収容した筺体を備え、前記取着体は該筺体と一体成形されていることを特徴とする。
【００２０】
この発明にあっては、把手部を有する取着体と表示部の筺体とが一体成形されるため、部品点数をより一層低減でき、コストをより一層低減できる。
【発明の効果】
【００２１】
以上詳述したように本発明によれば、音声出力部に持上げ荷重を加えることなく持運ぶことが可能であり、持上げ荷重に対して音声出力部を保護することができ、しかも、音声出力部を取着するための取着体に把手部を設けてあるため、把手部を独自に取着する場合に比べて部品点数を低減でき、コストを低減できる。
【００２２】
また、本発明によれば、表示部の下側に取着された音声出力部の長手方向両端部で表示装置を持上げることができるため、比較的大形の表示装置であっても極力少ない人員数で簡易に持運ぶことが可能であり、持運び性を向上できる。
【００２３】
また、本発明によれば、表示部の下側の音声出力部の前部に手を触れることなく、表示装置の下部より該表示装置を持上げることができるため、比較的大形の表示装置であっても音声出力部の前部を凹ましたりすることなく簡易に持運ぶことが可能である。
【００２４】
また、本発明によれば、把手部を有する取着体と音声出力部の筺体とが一体成形されているため、部品点数をより一層低減でき、コストをより一層低減できる。
【００２５】
また、本発明によれば、把手部を有する取着体と表示部の筺体とが一体成形されるため、部品点数をより一層低減でき、コストをより一層低減できる。
【発明を実施するための最良の形態】
【００２６】
以下本発明をその実施の形態を示す図面に基づいて詳述する。図１は本発明に係る表示装置の構成を示す正面側の斜視図、図２は背面側の斜視図、図３は一部を破断した要部の拡大側面図、図４は取着体を取外した状態の要部の拡大斜視図、図５は取着体の構成を示す拡大斜視図である。
【００２７】
図示した表示装置はテレビ画像を表示し、直方体をなす表示部１と、該表示部１の下側に配置され、表示部１とほぼ等しい長さの略直方体をなす音声出力部２と、該音声出力部２を表示部１の長手方向両端部で、且つ後部に取着する二つの取着体３，３と、該取着体３，３に一体成形された把手部４，４と、表示部１の長手方向中央部で、且つ下部に固定され、表示部１を起立状態で支持するスタンド５とを備える液晶テレビである。
【００２８】
表示部１は前側に表示面を有する液晶のパネル１ａと、該パネル１ａの後側に配置された光学シートと、拡散板と、バックライト部と、電源基板等のテレビ基板と、これらパネル等の部品を収容した筺体１１とを備えている。筺体１１の後面下部で、且つ長手方向両端部には、長手方向に離隔して螺子孔１２及び嵌入孔１３が設けられている。嵌入孔１３は円筒形をなすゴムブッシュからなる。
【００２９】
音声出力部２は、前部に複数の音声出力孔２ａを有し、音声発生部を収容した筺体２１を備えている。筺体２１の後面上部で、且つ長手方向両端部には、長手方向に離隔して二つの螺子孔２２，２２が設けられている。また、筺体２１の後面で、且つ長手方向中央部には長手方向に離隔して二つの螺子孔２３，２３が設けられている。
【００３０】
取着体３，３は、筺体１１の後面下部に固定される第１の固定部３ａと、筺体２１の後面上部に固定される第２の固定部３ｂとを有する直方体をなしている。第１の固定部３ａには螺子孔１２に対応する貫通孔３１及び嵌入孔１３に対応するピン３２が設けられており、第２の固定部３ｂには螺子孔２２，２２に対応する二つの貫通孔３３，３３が設けられており、ピン３２の嵌入孔１３への嵌入により表示部１に対する取着体３，３の取着位置を決め、貫通孔３１，３３，３３に挿入される螺子６を螺子孔１２，２２，２２に緊締することにより音声出力部２を表示部１に取着するように構成されている。
【００３１】
把手部４，４は合成樹脂材料により取着体３，３と一体成形されている。把手部４，４は取着体３，３の中央部から固定部３ａ，３ｂより表示部１の後方に延出され、且つ下面に指が掛けられる凹所４ａを有し、該凹所４ａに指が掛けられて表示部１及び音声出力部２を持上げることができるように構成されている。
【００３２】
スタンド５は、載置台等に載置されるベース部５ａ及び該ベース部５ａに立設された二つの脚部５ｂ，５ｂを有しており、脚部５ｂ，５ｂの上部が表示部１の後部に取着されている。また、脚部５ｂ，５ｂの中途には段付きの貫通孔５１，５１が設けられており、夫々の貫通孔５１，５１に挿通する螺子７，７を、音声出力部２のねじ孔２３，２３に緊締することにより音声出力部２の長手方向中央部をスタンド５に固定するように構成されている。
【００３３】
以上のように構成された表示装置は、表示部１の下側に直方体をなす音声出力部２が配置され、該音声出力部２の後部で、かつ長手方向両端部が取着体３，３により表示部１に取着されているため、表示装置を持ち運ぶ場合、二人の人員が取着体３，３の把手部４，４に指を引掛けることができ、この引掛け状態で持ち運ぶことができる。把手部４，４は表示部１及び音声出力部２の後部に配置されているため、音声出力部２の前部に指が当てられることなく表示装置を持ち運ぶことができる。従って、音声出力孔２ａが設けられて剛性が比較的小さくなっている音声出力部２の前部が凹んだりすることを防ぐことができる。
【００３４】
図６は他の実施の形態を示す要部の拡大断面図、図７はさらに他の実施の形態を示す要部の拡大断面図である。
図６に示した表示装置は、把手部４，４を有する取着体３，３を表示部１の筺体１１と板金により一体成形してあり、螺子孔１２、嵌入孔１３、ピン３２及び一つの貫通孔３３はなくしてある。また、図７に示した表示装置は、把手部４，４を有する取着体３，３を音声出力部２の筺体２１と板金により一体成形してあり、螺子孔２２，２２、及び貫通孔３３，３３はなくしてある。
その他の構成及び作用は図１〜図５に示した実施の形態と同様であるため、同様の部品については同じ符号を付し、その詳細な説明及び作用効果の説明を省略する。
【００３５】
なお、以上説明した実施の形態では、筺体１１が嵌入孔１３を有し、該嵌入孔１３に嵌入されるピン３２を取着体３，３が有する構成としたが、その他、嵌入孔１３に代えて螺子孔とし、該螺子孔に対応する貫通孔を取着体３，３が有する構成としてもよく、取着体３，３の構成は特に制限されない。
また、以上説明した実施の形態では、音声出力部２の長手方向中央部をスタンド５の脚部５ｂ，５ｂに取着したが、音声出力部２のスタンド５への取着は必ずしも必要でなく、表示部１の大きさに応じてなくしてもよい。
【００３６】
また、本発明に係る表示装置は液晶テレビ等の液晶表示装置である他、プラズマ表示装置、ＥＬディスプレィ等の表示装置であってもよい。
【図面の簡単な説明】
【００３７】
【図１】本発明に係る表示装置の構成を示す正面側の斜視図である。
【図２】本発明に係る表示装置の構成を示す背面側の斜視図である。
【図３】本発明に係る表示装置の一部を破断した要部の拡大側面図である。
【図４】本発明に係る表示装置の取着体を取外した状態の要部の拡大斜視図である。
【図５】本発明に係る表示装置の取着体の構成を示す拡大斜視図である。
【図６】本発明に係る表示装置の他の実施の形態を示す要部の拡大断面図である。
【図７】本発明に係る表示装置のさらに他の実施の形態を示す要部の拡大断面図である。
【符号の説明】
【００３８】
１    表示部
１ａ    パネル
１１  筺体
２    音声出力部
２ａ    音声出力孔
２１  筺体
３    取着体
３ａ  第１の固定部
３ｂ  第２の固定部
４    把手部
４ａ  凹所
【図１】
2006340336.tif 000003
【図２】
2006340336.tif 000004
【図３】
2006340336.tif 000005
【図４】
2006340336.tif 000006
【図５】
2006340336.tif 000007
【図６】
2006340336.tif 000008
【図７】
2006340336.tif 000009